Podtech/llm-jp-corpus-v4-ja_patent huggingface dataset:
【手続補正書】
【提出日】平成17年11月25日(2005.11.25)
【手続補正１】
【補正対象書類名】特許請求の範囲
【補正対象項目名】全文
【補正方法】変更
【補正の内容】
【特許請求の範囲】
【請求項１】
オシロスコープ装置であって、
波形を捕捉するための捕捉ユニット、
前記波形を処理し、各々が該捕捉波形の処理データから成る複数の測定結果を取得するためのプロセッサー、
前記波形および各々が前記複数の測定結果のそれぞれに対応する生のプレビューを提供すると共に、前記捕捉波形の処理データに基づいて少なくとも定期的にアップデートされる小型レンダリングである複数のアイコンをディスプレイに表示するためのレンダラー、および
前記複数のアイコンの１つを選択するためのユーザー・インタフェース
を有して成り、
前記レンダラーによって、選択されたアイコンに対応する測定結果がディスプレイに表示されることを特徴とする装置。
【請求項２】
測定結果をオシロスコープ装置に表示する方法であって、
波形を捕捉するステップ、
前記波形を処理し、各々が該捕捉波形の処理データから成る複数の測定結果を取得するステップ、
前記波形および各々が前記複数の測定結果のそれぞれに対応する生のプレビューを提供すると共に、前記捕捉波形の処理データに基づいて少なくとも定期的にアップデートされる小型レンダリングである複数のアイコンをディスプレイに表示するステップ、
前記複数のアイコンの１つを選択するステップ、および
選択されたアイコンに対応する測定結果をディスプレイに表示するステップ
の各ステップを有して成ることを特徴とする方法。
【請求項３】
オシロスコープ装置であって、
波形を捕捉するための捕捉手段、
前記波形を処理し、各々が該捕捉波形の処理データから成る複数の測定結果を取得するための処理手段、
前記波形および各々が前記複数の測定結果のそれぞれに対応する生のプレビューを提供すると共に、前記捕捉波形の処理データに基づいて少なくとも定期的にアップデートされる小型レンダリングである複数のアイコンをディスプレイに表示するためのレンダリング手段、および
前記複数のアイコンの１つを選択するための選択手段
を有して成り、
前記レンダリング手段によって、選択されたアイコンに対応する測定結果がディスプレイに表示されることを特徴とする装置。
【手続補正書】
【提出日】平成17年11月29日(2005.11.29)
【手続補正１】
【補正対象書類名】特許請求の範囲
【補正対象項目名】全文
【補正方法】変更
【補正の内容】
【特許請求の範囲】
【請求項１】
永続データをスケーリングするためのオシロスコープ装置であって、
波形を捕捉するための捕捉ユニット、
ユーザーによってサイズが選択可能である前記捕捉波形の永続データを蓄積するための結果バッファ、
補間アルゴリズムを用いて前記永続データを表示バッファ・サイズにスケーリングし、該スケーリングした永続データを該表示バッファ・サイズの表示バッファに出力するためのプロセッサー、および
前記表示バッファ内の前記スケーリングした永続データを表示するためのディスプレイ
を備えていることを特徴とする装置。
【請求項２】
前記プロセッサーによってスケーリングされ表示される前記結果バッファ内の前記永続データの領域を選択するためのユーザー・インタフェースを更に備えていることを特徴とする請求項１記載の装置。
【請求項３】
永続データを表示するためのオシロスコープ装置であって、
波形を捕捉するための捕捉ユニット、
ユーザーによってサイズが選択可能である前記捕捉波形の永続データを蓄積するための結果バッファ、
前記結果バッファ内の前記永続データの表示領域を選択するためのユーザー・インタフェース、および
前記永続データの前記選択領域を表示するためのディスプレイ
を備えていることを特徴とする装置。
【請求項４】
オシロスコープ内の永続データをスケーリングする方法であって、
永続データのサイズを選択するステップ、
波形を捕捉するステップ、
前記捕捉波形から前記永続データ・サイズの永続データを蓄積するステップ、
補間アルゴリズムを用いて前記永続データを表示バッファ・サイズにスケーリングするステップ、
前記スケーリングした永続データを前記表示バッファ・サイズの表示バッファに出力するステップ、および
前記表示バッファ内の前記スケーリングした永続データをディスプレイに表示するステップ
の各ステップを有して成ることを特徴とする方法。
【請求項５】
オシロスコープ内の永続データを表示する方法であって、
永続データのサイズを選択するステップ、
波形を捕捉するステップ、
前記捕捉波形から前記永続データ・サイズの永続データを蓄積するステップ、
前記永続データの表示領域を選択するステップ、および
前記永続データの前記選択領域をディスプレイに表示するステップ、
の各ステップを有して成ることを特徴とする方法。
【手続補正書】
【提出日】平成17年9月13日(2005.9.13)
【手続補正１】
【補正対象書類名】特許請求の範囲
【補正対象項目名】請求項１
【補正方法】変更
【補正の内容】
【請求項１】
複数のフラットな郵便物がまとまっており、該郵便物を狭幅の側で搬送する際に、重ねられた該郵便物を検出するための方法であって、
区分された前記郵便物を連続的に、狭幅の側で立たせて長手方向にベッドまたはベルト経路に沿って移動させ、
移動経路の下方に位置付けられているのは、電子ラインカメラであり、
該電子ラインカメラの長手方向の光軸は、郵便物の搬送方向に対して垂直であり、
該電子ラインカメラによって郵便物の底端部を、ベースプレートの開口を介してスキャンし、
２つの光源が、郵便物底端部から横方向に配置されており、
郵便物が前記ベースプレートの開口の上方を通過する際、前記２つの光源によって該郵便物の底端部を下方から対角線上に照明し、スキャンされる該郵便物の底端部をシャドーイングによって強調する形式の方法において、
該電子ラインカメラの出力を評価手段へ供給し、
前記評価手段によって、ラインごとにスキャンされた郵便物底端部イメージの統計的な特性を計算し、オフラインで設定された特性のセットの郵便物底端部イメージと比較して、判定結果として、測定された特性を表す確率が高いクラスモデルに決定し、
前記オフラインで設定された特性のセットは、既知の一重供給物底端部イメージおよび二重供給物底端部イメージの型の異なる物理的なクラスモデルを表す底端部イメージの典型的なサンプルから導出された特性のセットであることを特徴とする方法。
【手続補正２】
【補正対象書類名】特許請求の範囲
【補正対象項目名】請求項５
【補正方法】変更
【補正の内容】
【請求項５】
複数のフラットな郵便物がまとまっており、該郵便物を狭幅の側で搬送する際に、二重の郵便物を検出するための方法であって、
区分された前記郵便物は連続的に、狭幅の側で立たせて長手方向にベッドまたはベルト経路に沿って移動させる形式の方法において、
搬送経路の下方に位置付けられているのは、電子ラインカメラであり、
該電子ラインカメラの長手方向の光軸は、郵便物の搬送方向に対して垂直であり、
該電子ラインカメラによって郵便物の底端部を、ベースプレートの開口を介してスキャンし、
ラインごとにスキャンされた郵便物底端部イメージの統計的な特性を、オフラインで設定された特性のセットの郵便物底端部イメージと比較して、判定結果として、測定された特性を表す確率が高いクラスモデルに決定し、
前記オフラインで設定された特性のセットは、既知の一重の供給物底端部イメージおよび二重の供給物底端部イメージの型の異なる物理的なクラスモデルを表す底端部イメージの典型的なサンプルから導出された特性のセットであることを特徴とする方法。
【手続補正３】
【補正対象書類名】特許請求の範囲
【補正対象項目名】請求項８
【補正方法】変更
【補正の内容】
【請求項８】
該電子ラインカメラの前に、正圧の気流を郵便物搬送に対して垂直に、ベースプレートと郵便物の底端部との間で吹き入れて、郵便物経路から粉塵のパーティクルを偏向させ、ひいては該開口へ落ちる粉塵のパーティクルの量を低減する、請求項４記載の方法。
【手続補正４】
【補正対象書類名】特許請求の範囲
【補正対象項目名】請求項９
【補正方法】変更
【補正の内容】
【請求項９】
該電子ラインカメラの粉塵保護ガラスプレートの前に、正圧の気流を光軸に対して垂直に吹き入れて、レンズ保護グラスプレートから粉塵のパーティクルを偏向させ、ひいてはガラスプレート透過率に影響する粉塵のパーティクルの量を低減する、請求項４記載の方法。
【手続補正５】
【補正対象書類名】特許請求の範囲
【補正対象項目名】請求項１０
【補正方法】変更
【補正の内容】
【請求項１０】
複数のフラットな郵便物がまとまっている際、重ねられた該郵便物を検出するための装置であって、
コンベアと、カメラと、少なくとも１つの光源と、評価のための手段とが設けられており、
前記コンベアは、郵便物を狭幅の側で搬送し、
区分された前記郵便物は連続的に、狭幅の側で立って長手方向にベッドまたはベルト経路に沿って移動し、
前記カメラは、搬送経路の下方に配置されており、郵便物の底端部を、前記コンベアの開口を介してスキャンし、
前記カメラの長手方向の光軸は、郵便物の搬送方向に対して垂直であり、
前記少なくとも１つの光源は、郵便物底端部から横方向に配置されており、郵便物が前記開口の上方を通過する際に、下方から該郵便物の底端部を対角線上に照明して、スキャンされる郵便物の底端部をシャドーイングによって強調し、
前記評価のための手段は、郵便物底端部イメージの統計的な特性を計算することによって前記カメラの出力を評価し、オフラインで設定された特性のセットの特性と比較して、測定された特性を表す確率が最も高い物理的なモデルが、判定結果として選択され、
前記オフラインで設定された特性のセットは、既知の一重の供給物底端部イメージおよび二重の供給物底端部イメージの型の異なる物理的なクラスモデルを表す底端部イメージの典型的なサンプルから導出された特性のセットであることを特徴とする装置。
【手続補正書】
【提出日】平成17年9月26日(2005.9.26)
【手続補正１】
【補正対象書類名】特許請求の範囲
【補正対象項目名】全文
【補正方法】変更
【補正の内容】
【特許請求の範囲】
【請求項１】
治療的有効量の式Ｉ：
【化１】
2005512965.tif 000001
式中、
ＸはＣＨ2もしくは酸素であり、
Ｒ1は水素もしくはアルキルであり、そして
Ｒ2、Ｒ3、Ｒ4およびＲ5は独立に水素もしくは低級アルキルであり、そしてＸがＣＨ2である時は、Ｒ4およびＲ5が一緒になってベンゼン環を形成するアルケン基であってもよく、かつＸが酸素である時は、Ｒ2とＲ3および／もしくはＲ4とＲ5が一緒になって下記の式（ＩＩ）：
【化２】
2005512965.tif 000002
（ここで、
Ｒ6およびＲ7は同一であるかもしくは異なり、水素、低級アルキルであるかまたはアルキルであって、一緒になってシクロペンチルもしくはシクロヘキシル環を形成する）
のメチレンジオキシ基であってもよい、
の化合物を含んで成る、それを必要とする被験者の不穏四肢症候群を処置するための医薬組成物。
【請求項２】
式Ｉの化合物がトピラメートである、請求項１の医薬組成物。
【請求項３】
トピラメートの治療的有効量が１日約１０〜約６５０ｍｇである、請求項２の医薬組成物。
【請求項４】
トピラメートの治療的有効量が１日に１回もしくは２回約２５〜約３２５ｍｇである、請求項３の医薬組成物。
【請求項５】
不穏四肢症候群が不穏下肢症候群である、請求項１の医薬組成物。
【請求項６】
不穏四肢症候群が薬剤により誘発されたもしくは薬剤により悪化した不穏四肢症候群である、請求項１の医薬組成物。
【請求項７】
治療的有効量の式Ｉ：
【化３】
2005512965.tif 000003
式中、
ＸはＣＨ2もしくは酸素であり、
Ｒ1は水素もしくはアルキルであり、そして
Ｒ2、Ｒ3、Ｒ4およびＲ5は独立に水素もしくは低級アルキルであり、そしてＸがＣＨ2である時は、Ｒ4およびＲ5が一緒になってベンゼン環を形成するアルケン基であってもよく、かつＸが酸素である時は、Ｒ2とＲ3および／もしくはＲ4とＲ5が一緒になって下記の式（ＩＩ）：
【化４】
2005512965.tif 000004
（ここで、
Ｒ6およびＲ7は同一であるかもしくは異なり、水素、低級アルキルであるかまたはアルキルであって、一緒になってシクロペンチルもしくはシクロヘキシル環を形成する）
のメチレンジオキシ基であってもよい、
の化合物を含んで成る、それを必要とする被験者の定期的四肢運動障害を処置するための医薬組成物。
【請求項８】
式Ｉの化合物がトピラメートである、請求項７の医薬組成物。
【請求項９】
トピラメートの治療的有効量が１日約１０〜約６５０ｍｇである、請求項８の医薬組成物。
【請求項１０】
トピラメートの治療的有効量が１日に１回もしくは２回約２５〜約３２５ｍｇである、請求項９の医薬組成物。
【請求項１１】
定期的四肢運動障害が薬剤に誘発されたもしくは薬剤により悪化した定期的四肢運動障害である、請求項７の医薬組成物。
【請求項１２】
治療的有効量の式Ｉ：
【化５】
2005512965.tif 000005
式中、
ＸはＣＨ2もしくは酸素であり、
Ｒ1は水素もしくはアルキルであり、そして
Ｒ2、Ｒ3、Ｒ4およびＲ5は独立に水素もしくは低級アルキルであり、そしてＸがＣＨ2である時は、Ｒ4およびＲ5が一緒になってベンゼン環を形成するアルケン基であってもよく、かつＸが酸素である時は、Ｒ2とＲ3および／もしくはＲ4とＲ5が一緒になって下記の式（ＩＩ）：
【化６】
2005512965.tif 000006
（ここで、
Ｒ6およびＲ7は同一であるかもしくは異なり、水素、低級アルキルであるかまたはアルキルであって、一緒になってシクロペンチルもしくはシクロヘキシル環を形成する）
のメチレンジオキシ基であってもよい、
の化合物を含んで成る、それを必要とする被験者の不穏四肢症候群もしくは定期的四肢運動障害と関連する睡眠障害を処置するための医薬組成物。
【請求項１３】
式Ｉの化合物がトピラメートである、請求項１２の医薬組成物。
【請求項１４】
トピラメートの治療的有効量が１日約１０〜約６５０ｍｇである、請求項１３の医薬組成物。
【請求項１５】
トピラメートの治療的有効量が１日に１回もしくは２回約２５〜約３２５ｍｇである、請求項１４の医薬組成物。
【手続補正書】
【提出日】平成17年8月4日(2005.8.4)
【手続補正１】
【補正対象書類名】特許請求の範囲
【補正対象項目名】全文
【補正方法】変更
【補正の内容】
【特許請求の範囲】
【請求項１】
エチレンオキシド含有側鎖およびアルキル−Ｙ含有側鎖を含むビニルポリマーであって、ＹはＯまたはＮＲであり、ＲはＨまたはＣＨ3であり、前記アルキル−Ｙ含有側鎖の前記アルキル基は、平均して少なくとも４個の炭素原子を、環状、分枝鎖状、または直鎖状の立体配置で有し、場合によって１個以上のヘテロ原子を含むビニルポリマー；油相；および水相；を含む、油中水エマルジョン。
【請求項２】
前記エチレンオキシド含有側鎖が、１種以上のモノエチレン性不飽和ポリ（アルキレンオキシド）（メタ）アクリルモノマーから誘導される、請求項１に記載の油中水エマルジョン。
【請求項３】
前記モノエチレン性不飽和ポリ（アルキレンオキシド）（メタ）アクリルモノマーが、式：
【化１】
2005512968.tif 000001
（式中：
ｍは少なくとも２であり；
ｐは０〜５０であり；
ｑは０または１であり；
Ｒ3は、ＨまたはＣＨ3であり；
Ｒ4は、水素であるか、あるいは直鎖状または分枝鎖状のアルキル基および／またはアリール基であるが；
但し、イソプロピレンオキシド基（「ｐ」個の基）およびエチレンオキシド基（「ｍ」個の基）は、逆、交互、ランダム、またはブロック立体配置で、配置されている）
を有する、請求項２に記載の油中水エマルジョン。
【請求項４】
前記アルキル−Ｙ含有側鎖が、１種以上のモノエチレン性不飽和アルキル（メタ）アクリルモノマーから誘導される、請求項１に記載の油中水エマルジョン。
【請求項５】
前記モノエチレン性不飽和アルキル（メタ）アクリルモノマーが、式：
【化２】
2005512968.tif 000002
（式中：
Ｒ1は、ＨまたはＣＨ3であり；
Ｒ2は、場合によって１個以上のヘテロ原子を含む直鎖状、分枝鎖状、または環状アルキル基である）
を有する、アルキル（メタ）アクリレートモノマーである、請求項４に記載の油中水エマルジョン。
【手続補正書】
【提出日】平成17年12月15日(2005.12.15)
【手続補正１】
【補正対象書類名】特許請求の範囲
【補正対象項目名】全文
【補正方法】変更
【補正の内容】
【特許請求の範囲】
【請求項１】
ナノファイバーの縦軸と実質的に平行な連続したグラファイトシート群から構成され、実質的に非円筒形多面管状構成された結晶黒鉛ナノファイバーであって、上記グラファイトシート群の間隔は０．３３５ｎｍから０．６７ｎｍであり、約９５％以上の結晶化度を有することを特徴とする結晶黒鉛ナノファイバー。
【請求項２】
上記グラファイトシート群の間隔は約０．３３５ｎｍと０．４０ｎｍの間である請求項１記載のナノファイバー。
【請求項３】
上記ナノファイバーの縁部領域の少くとも１部はベーシック群、酸性群および酸化群からなるグループから選択された機能グループを含む請求項１記載のナノファイバー。
【請求項４】
上記機能グループはヒドロキンル、過酸化物、エーテル、ケトンおよびアルデヒドから成るグループから選択された酸化グループである請求項１記載のナノファイバー。
【請求項５】
ｉ）少なくとも１種のＶIII族金属酸化物と、少なくとも１種のII族金属酸化物との混合物からなる触媒系の存在下、ＣＯとＨ2の混合物を生成させる有効温度でＣＨ4とＯ2の混合物を反応させるステップと、
ii）ＣｏとＮｉから選択したＶIII属金属とII属金属酸化物との混合物からなる触媒系の存在下、ＣＯとＨ2の混合物の少くとも一部分を有効温度下で反応させ、多面黒鉛系ナノチューブを生長させるステップと、
から成り、上記ナノチューブはその成長軸と実質的に平行な小板群から構成される多面黒鉛系ナノチューブの製造方法。
【請求項６】
ＣＨ4とＯ2の前記混合物が、約３５０℃〜約１０００℃の温度で反応する請求項５に記載の方法。
【請求項７】
ＶIII族金属はＣｏである請求項５に記載の方法。
【請求項８】
ＣＨ4とＯ2の前記混合物が、約３５０℃〜約１０００℃の温度で反応する請求項５に記載の方法。
【請求項９】
ＣＨ4とＯ2の前記混合物が、約４５０℃〜約１０００℃の温度で反応する請求項８に記載の方法。
【請求項１０】
前記黒鉛系ナノチューブが成長する前記温度が約５５０℃〜約７００℃である請求項５に記載の方法。
【請求項１１】
前記黒鉛系ナノチューブが成長する前記温度が約６００℃〜約７００℃である請求項１０に記載の方法。
【請求項１２】
ＣＨ4とＯ2の前記混合物が、約４５０℃〜約１０００℃の温度で反応する請求項５に記載の方法。
【請求項１３】
ＣｏとＮｉから選んだＶIII属金属とＭｇＯとの混合物からなる触媒を以ってＣＯとＨ2
の混合物を少くとも一部を適切な温度下で反応させ、これによってナノチューブの成長軸と実質的に平行関係にある小板群から構成される多面黒鉛系ナノチューブを製造する方法。
【請求項１４】
ＶIII族金属はＣｏである請求項１３に記載の方法。
【請求項１５】
前記黒鉛系ナノチューブが成長する前記温度が約５５０℃〜約６７０℃である請求項１３に記載の方法。
【請求項１６】
前記黒鉛系ナノチューブが成長する前記温度が約６００℃〜約６５０℃である請求項１５に記載の方法。
【手続補正書】
【提出日】平成17年10月18日(2005.10.18)
【手続補正１】
【補正対象書類名】特許請求の範囲
【補正対象項目名】全文
【補正方法】変更
【補正の内容】
【特許請求の範囲】
【請求項１】
少なくとも一つのサイトカインおよび／またはケモカインを含む、少なくとも一つの乳頭腫ウイルスおよび／または少なくとも一つのヘルペスウイルスによって引き起こされる皮膚病、真菌性皮膚病、および／または生殖管および肛門管の新形成を処置するための局所作用性薬剤。
【請求項２】
３種類を超える、特に、３種類、好ましくは、２種類のサイトカインおよび／またはケモカインを含む、請求項１に記載の薬剤。
【請求項３】
本質的には、抗原として作用する成分を含まない、請求項１または請求項２に記載の薬剤。
【請求項４】
サイトカインおよび／またはケモカインが、ＧＭ−ＣＳＦ、Ｇ−ＣＳＦ、ＩＬ１、ＩＬ２、ＩＬ３、ＩＬ４、ＩＬ５、ＩＬ６、ＩＬ７、ＩＬ８、ＩＬ９、ＩＬ１０、ＩＬ１１、ＩＬ１２、ＩＬ１３、ＩＬ１４、ＩＬ１５、ＩＬ１６、ＩＬ１７、ＩＬ１８、ＩＬ１９、ＩＬ２０、ＩＬ２１、ＩＬ２２、ＩＦＮα、ＩＦＮβ、ＩＦＮγ、Ｆｌｔ３  Ｌ、Ｆｌｔ３、ＲＡＮＴＥＳ、ＭＩＰ１α、ＭＩＰ１β、ＭＩＰ１γ、ＭＩＰ１δ、ＭＩＰ２、ＭＩＰ２α、ＭＩＰ２β、ＭＩＰ３α、ＭＩＰ３β、ＭＩＰ４、ＭＩＰ５、ＭＣＰ１、ＭＣＰ１β、ＭＣＰ２、ＭＣＰ３、ＭＣＰ４、ＭＣＰ５、ＭＣＰ６、６ｃｙｋｉｎｅ、Ｄｃｃｋ１および／またはＤＣＤＦ、特に、ＧＭ−ＣＳＦ、ＲＡＮＴＥＳおよび／またはＭＩＰａαであることを特徴とする請求項１〜３のいずれか１項に記載の薬剤。
【請求項５】
ウイルス性皮膚病および／または腫瘍疾患が、少なくとも一つの乳頭腫ウイルスによって、具体的には、ＨＰＶ１、２、３、４、５、６、８、９、１１、１２、１３、１４、１５、１６、１７、１８、１９、２０、２１、２２、２３、２４、２５、２６、２７、２８、２９、３１、３２、３４、３６、３７、３８、４６、４７、４８、４９、５０、５６または５８などの少なくとも一つのヒト乳頭腫ウイルスによって、単純疱疹ウイルス１、単純疱疹ウイルス２、水痘・帯状疱疹ウイルスまたはヒトヘルペスウイルス１、２、３、４、７または８などの少なくとも一つのヘルペスウイルスによって引き起こされることを特徴とする請求項１〜４のいずれか１項に記載の薬剤。
【請求項６】
ウイルス性皮膚病が、いぼ、性器いぼ、乳頭腫ウイルスによって引き起こされる皮膚または粘膜の良性腫瘍、例えば、足底ゆうぜい、尋常性ゆうぜい、青年性扁平ゆうぜい、ゆうぜい状表皮異形成、尖圭コンジローム、扁平コンジローム、ボーエノイド・パピュローシス、喉頭または粘膜の乳頭腫、局所性上皮肥厚、口唇ヘルペス、カポージ肉腫、水痘および／または帯状疱疹であることを特徴とする請求項１〜５のいずれか１項に記載の薬剤。
【請求項７】
腫瘍疾患が、ボーエン病、陰茎、肛門および外陰部の癌、頚部癌、喉頭癌および／または舌癌であることを特徴とする請求項１〜５のいずれか１項に記載の薬剤。
【請求項８】
真菌性皮膚病が、皮膚真菌症、クロモブラストミコーシス、スポロトリクス真菌症、真正菌腫または全身性真菌症であることを特徴とする請求項１〜５のいずれか１項に記載の薬剤。
【請求項９】
局所作用性薬剤を製造する方法であって、少なくとも一つのサイトカインおよび／またはケモカインを、少なくとも一つの補助物質と、特に、ヒト血清アルブミン、ＣｐＧまたは酸化型グルタチオンと接触させることを特徴とする方法。
【請求項１０】
サイトカインおよび／またはケモカインを、組換えによって製造することを特徴とする請求項９に記載の方法。
【請求項１１】
局所作用性医薬製剤であって、少なくとも一つのサイトカインおよび／またはケモカインと、そして更に、セチルステアリルアルコール、ワセリンおよび羊毛脂アルコールまたはパラフィン油を含む医薬製剤。
【請求項１２】
処置用キットであって、請求項１１に記載の製剤および吸蔵手段を含む処置用キット。
【請求項１３】
吸蔵手段が、硬膏剤またはスプレードレッシングであることを特徴とする請求項１２に記載の処置用キット。
【手続補正書】
【提出日】平成17年9月9日(2005.9.9)
【手続補正１】
【補正対象書類名】特許請求の範囲
【補正対象項目名】全文
【補正方法】変更
【補正の内容】
【特許請求の範囲】
【請求項１】
下記の一般式（Ｉ）の化合物：
【化１】
2005512985.tif 000001
式中、
ｎは０、１または２の数を表し、
Ａは、１個から６個の炭素原子を有する直鎖アルカンジイルまたは分枝状アルカンジイルを表し、
Ｒ１は、水素、ハロゲンを表すか、ハロゲンもしくはＣ１〜Ｃ４−アルコキシで場合により置換される１個から６個の炭素原子を有するアルキル、または、ハロゲンもしくはＣ１〜Ｃ４−アルキルで場合により置換されるフェニルを表し、
Ｒ２は、ハロゲンもしくはＣ１〜Ｃ４−アルコキシで場合により置換される１個から６個の炭素原子を有するアルキルを表すか、ハロゲンもしくはＣ１〜Ｃ４−アルキルで場合により置換される３個から８個の炭素原子を有するシクロアルキルを表すか、ハロゲンもしくはＣ１〜Ｃ４−アルキルで場合により置換されるフェニル−Ｃ１〜Ｃ４−アルキルを表すか、Ｒ１と一緒になるか、もしくはＲ３と一緒になり、Ｃ１〜Ｃ４−アルキルで場合により置換される３個から５個の炭素原子を有するアルカンジイル、または、ハロゲンもしくはＣ１〜Ｃ４−アルキルで場合により置換されるベンゾ型基を表し、
Ｒ３は、水素、ハロゲンを表すか、ハロゲンもしくはＣ１〜Ｃ４−アルコキシで場合により置換される１個から６個の炭素原子を有するアルキルを表すか、または、ハロゲンもしくはＣ１〜Ｃ４−アルキルで場合により置換されるフェニルを表し、
Ｚは、それぞれの場合に、場合により置換されるフェニル、ナフチル、ピリジニル、ピリミジニル、フリル、チエニル、オキサゾリルまたはチアゾリルを表し、この場合、それぞれの場合において可能な置換基が、下記の列挙：
ニトロ、シアノ、カルボキシル、カルバモイル、チオカルバモイル、ハロゲン、または、シアノ、カルボキシル、カルバモイル、チオカルバモイル、ハロゲン、Ｃ１〜Ｃ４−アルコキシ、Ｃ１〜Ｃ４−アルキルチオ、Ｃ１〜Ｃ４−アルキルスルフィニルもしくはＣ１〜Ｃ４−アルキルスルホニルでそれぞれの場合に、場合により置換されるアルキル基に１個から６個の炭素原子をそれぞれの場合に有するアルキル、アルコキシ、アルコキシカルボニル、アルキルチオ、アルキルスルフィニル、アルキルスルホニル、アルキルアミノ、アルキルアミノカルボニルもしくはアルキルカルボニルアミノ、または、ハロゲンでそれぞれの場合に、場合により置換される１個または２個の炭素原子を有するアルキリレンジオキシ、または、アルキル基に１個から４個の炭素原子をそれぞれの場合に有するジアルキルアミノ、ジアルキルアミノカルボニルもしくはジアルキルアミノスルホニル、または、ニトロ、シアノ、カルボキシル、カルバモイル、チオカルバモイル、ハロゲン、Ｃ１〜Ｃ４−アルキル、Ｃ１〜Ｃ４−ハロアルキル、Ｃ１〜Ｃ４−アルコキシ、Ｃ１〜Ｃ４−ハロアルコキシ、Ｃ１〜Ｃ４−アルキルチオ、Ｃ１〜Ｃ４−ハロアルキルチオ、Ｃ１〜Ｃ４−アルキルスルフィニル、Ｃ１〜Ｃ４−ハロアルキルスルフィニル、Ｃ１〜Ｃ４−アルキルスルホニルもしくはＣ１〜Ｃ４−ハロアルキルスルホニルでそれぞれの場合に、場合により置換されるフェニル、フェノキシ、フェニルチオ、フェニルスルフィニル、フェニルスルホニル、フェニルアミノ、フェニルカルボニルアミノ、フェニル−Ｃ１〜Ｃ４−アルキル、フェニル−Ｃ１〜Ｃ４−アルコキシ、フェノキシ−Ｃ１〜Ｃ４−アルキル、フェニル−Ｃ１〜Ｃ４−アルキルチオ、フェニル−Ｃ１〜Ｃ４−アルキルスルフィニル、フェニル−Ｃ１〜Ｃ４−アルキルスルホニル、フェニル−Ｃ１〜Ｃ４−アルキルアミノ
から選ばれ、
ただし、先行技術化合物２−ベンジルチオ−４−クロロ−５−メチルピリミジン、４−クロロ−２−（２，４−ジクロロベンジルチオ）−５−メチルピリミジン、４−クロロ−２−（クロロベンジルチオ）−５−メチルピリミジンおよび４−クロロ−２−（４−クロロベンジルチオ）−５−メチルピリミジン（Ｊ．Ｏｒｇ．Ｃｈｅｍ．、２７（１９６２）、１８１〜１８５を参照のこと）、化合物４，６−ジクロロ−５−メチル−２−（ナフタレン−２−イルメチルチオ）ピリミジン、化合物５−メチル−２−［（１−メチル−５−ニトロ−１Ｈ−イミダゾル−２−イル）メチルチオ］ピリミジン、２−（チエン−２−イルメチルスルホニル）−５−トリフルオロメチルピリミジン、２−フェニルメチルチオ−５−トリフルオロメチルピリミジン、２−（チエン−２−イルメチルチオ）−５−トリフルオロメチルピリミジン、２−フェニルメチルスルホニル−５−トリフルオロメチルピリミジンおよび２−（チエン−２−イルメチルスルフィニル）−５−トリフルオロメチルピリミジンは除かれる。
【請求項２】
（ａ）式（Ｉ）において、ｎが０の数を表す場合、下記の一般式（ＩＩ）のメルカプトピリミジン化合物：
【化２】
2005512985.tif 000002
（式中、Ｒ１、Ｒ２およびＲ３は請求項１に定義される通りである）
を、下記の一般式（ＩＩＩ）のハロアルキル化合物：
【化３】
2005512985.tif 000003
（式中、
ＡおよびＺは請求項１に定義される通りであり、
Ｘはハロゲンを表す）
と、適する場合には反応補助剤の存在下、および適する場合には希釈剤の存在下で反応させること、
または
（ｂ）式（Ｉ）において、ｎが１または２の数を表す場合、下記の一般式（Ｉａ）の置換ピリミジン化合物：
【化４】
2005512985.tif 000004
（式中、Ａ、Ｒ１、Ｒ２、Ｒ３およびＺは上記に定義される通りである）
を、適する場合には触媒の存在下、および適する場合には希釈剤の存在下で酸化剤と反応させること
を特徴とする、請求項１に記載される化合物を調製するための方法。
【請求項３】
請求項１に記載される化合物、または請求項１において除かれた化合物と、通常的な増量剤および／または界面活性剤とを含むことを特徴とする除草剤組成物。
【手続補正書】
【提出日】平成17年6月22日(2005.6.22)
【手続補正１】
【補正対象書類名】特許請求の範囲
【補正対象項目名】全文
【補正方法】変更
【補正の内容】
【特許請求の範囲】
【請求項１】
特定の試料において着床前因子が存在するかを決定する方法であって：
当該試料が、抗ＣＤ２抗体のＣＤ２抗原への結合を阻害する成分を含むかどうかを検出する工程を有し：
前記抗ＣＤ２抗体のＣＤ２抗原への結合を阻害する能力は着床前因子の存在と正の関係を示すものである。
【請求項２】
請求項１記載の方法において、前記抗ＣＤ２抗体のＣＤ２抗原への結合がフローサイトメトリにより検出されるものである。
【請求項３】
請求項１の方法において、前記ＣＤ２抗原はある細胞により保持されるものである。
【請求項４】
請求項１記載の方法において、前記ＣＤ２抗原は、ジャーカット細胞により保持されるものである。
【請求項５】
請求項２記載の方法において、
前記ＣＤ２抗原はある細胞により保持されるものである。
【請求項６】
請求項２記載の方法において、
前記ＣＤ２抗原はジャーカット細胞により保持されるものである。
【請求項７】
請求項１記載の方法において、
前記抗ＣＤ２抗体のＣＤ２抗原への結合は酵素抗体法により検出されるものである。
【請求項８】
配列Ｍｅｔ−Ｖａｌ−Ａｒｇ−Ｉｌｅ−Ｌｙｓ−Ｐｒｏ−Ｇｌｙ−Ｓｅｒ−Ａｌａを持つ単離されたペプチド。
【請求項９】
配列Ｖａｌ−Ｉｌｅ−Ｉｌｅ−Ｉｌｅ−Ａｌａ−Ｇｌｎ−Ｔｙｒ−Ｍｅｔ−Ａｓｐを持つ単離されたペプチド。
【請求項１０】
請求項９のペプチドを有する単離されたペプチドであって、
抗ＣＤ２抗体と結合するペプチド。
【請求項１１】
配列Ｓｅｒ−Ｇｌｎ−Ａｌａ−Ｖａｌ−Ｇｌｎ−Ｇｌｕ−Ｈｉｓ−Ａｌａ−Ｓｅｒ−Ｔｈｒを持つ単離されたペプチド。
【請求項１２】
請求項１記載の方法において、
前記抗ＣＤ２抗体は標識されるものである。
【請求項１３】
請求項２記載の方法において、
前記抗ＣＤ２抗体は標識されるものである。
【請求項１４】
配列Ｍｅｔ−Ｖａｌ−Ａｒｇ−Ｉｌｅ−Ｌｙｓ−Ｐｒｏ−Ｇｌｙ−Ｓｅｒ−Ａｌａ−Ａｓｎ−Ｌｙｓ−Ｐｒｏ−Ｓｅｒを持つ単離されたペプチド。
【請求項１５】
配列Ｍｅｔ−Ｖａｌ−Ａｒｇ−Ｉｌｅ−Ｌｙｓ−Ｐｒｏ−Ｇｌｙ−Ｓｅｒ−Ａｌａ−Ａｓｎ−Ｌｙｓ−Ｐｈｅ−Ｓｅｒ−Ａｓｐを持つ単離されたペプチド。
【請求項１６】
配列Ｍｅｔ−Ｖａｌ−Ａｒｇ−Ｉｌｅ−Ｌｙｓ−Ｐｒｏ−Ｇｌｙ−Ｓｅｒ−Ａｌａ−Ａｓｎ−Ｌｙｓ−Ｐｒｏ−Ｓｅｒ−Ａｓｐ−Ａｓｐを持つ単離されたペプチド。
【請求項１７】
請求項８、１４、１５、または１８のペプチドを有する単離されたペプチドであって、抗ＣＤ２抗体と結合し、スポロゾイド周囲タンパクではないペプチド。
【請求項１８】
配列Ｓｅｒ−Ｇｌｙ−Ｉｌｅ−Ｖａｌ−Ｉｌｅ−Ｔｙｒ−Ｇｌｎ−Ｔｙｒ−Ｍｅｔ−Ａｓｐ−Ａｓｐ−Ａｒｇ−Ｔｙｒ−Ｖａｌ−Ｇｌｙ−Ｓｅｒ−Ａｓｐ−Ｌｅｕを持つ単離されたペプチド。
【請求項１９】
請求項１８のペプチドを有する単離されたペプチドであって、抗ＣＤ２抗体と結合し、ＨＩＶタンパクではないペプチド。
【請求項２０】
前記配列Ｓｅｒ−Ｇｌｎ−Ａｌａ−Ｖａｌ−Ｇｌｎ−Ｇｌｕ−Ｈｉｓ−Ａｌａ−Ｓｅｒ−Ｔｈｒ−Ａｓｎ−Ｘａａ−Ｇｌｙ持つ単離されたペプチドであって、Ｘａａはあらゆるアミノ酸であることができるものである。
【請求項２１】
請求項１１および２０のペプチドを有する単離されたペプチドであって、抗ＣＤ２抗体と結合し、ヒトレチノイドおよびサイロイドホルモンのサイレンシングメディエータではないペプチド。
【請求項２２】
着床前因子が存在するかを決定する方法であって、
哺乳類から試料を取り出す工程と、
抗ＣＤ２抗体のＣＤ２抗原への結合を阻害する因子が存在するかしないかを決定する工程であって、そのような因子の存在は着床前因子（ＰＩＦ）が存在することを示す、前記決定する工程と
を有する着床前因子が存在するかを決定する方法。
【請求項２３】
哺乳類の着床前因子のアッセイ方法であって、
試料と抗ＣＤ２抗体とを混合する工程と、
前記混合液内のＣＤ２抗原と結合する抗体のパーセンテージを決定する工程であって、これが妊娠していない哺乳類のパーセンテージより明らかに低い場合には、前記試料にＰＩＦが存在していることを示す、前記パーセンテージを決定する工程と
を有する哺乳類の着床前因子のアッセイ方法。
【手続補正書】
【提出日】平成17年7月11日(2005.7.11)
【手続補正１】
【補正対象書類名】特許請求の範囲
【補正対象項目名】全文
【補正方法】変更
【補正の内容】
【特許請求の範囲】
【請求項１】
下記式のインヒビターＬと複合体を形成した配列番号２のＰＶ Ｅ２ ＴＡＤ様ポリペプチドを含む結晶化可能組成物。
2005512954.tif 000001
【請求項２】
前記ポリペプチドがＨＰＶ Ｅ２ ＴＡＤである請求項１に記載の結晶化可能組成物。
【請求項３】
以下の工程を含む、結晶化ＰＶ Ｅ２ ＴＡＤ−インヒビター複合体（ＰＶ Ｅ２ ＴＡＤ−Ｌ）を製造する方法：
ａ）精製緩衝液に含まれたＰＶ Ｅ２ ＴＡＤを可溶化インヒビターＬと混合して前記ＰＶ Ｅ２ ＴＡＤ−Ｌ複合体を含む複合体溶液を生成し；さらに
ｂ）前記複合体をａ）から結晶化緩衝液中で結晶化させる。
【請求項４】
前記ＰＶ Ｅ２ ＴＡＤがＨＰＶ Ｅ２ ＴＡＤである請求項３に記載の方法。
【請求項５】
工程ａ）において、前記精製緩衝液がＴＣＥＰおよびＤＴＴから選択される還元剤を含む請求項３に記載の方法。
【請求項６】
前記還元剤が約１ｍＭから約10ｍＭの濃度のＴＣＥＰである請求項５に記載の方法。
【請求項７】
工程ａ）において、前記精製緩衝液がｐＨ７から９の間で用いられる請求項３に記載の方法。
【請求項８】
工程ａ）において、前記精製緩衝液がさらにＮａＣｌ、ＮＨ4ＳＯ4またはＫＣｌから選択される塩を含む請求項３に記載の方法。
【請求項９】
前記塩が約200ｍＭから約800ｍＭの濃度のＮａＣｌである請求項８に記載の方法。
【請求項１０】
工程ａ）において、前記精製緩衝液がさらにトリス−ＨＣｌ、ＨＥＰＥＳまたはビス−トリスから選択される安定化緩衝液を含む請求項３に記載の方法。
【請求項１１】
前記安定化緩衝液が約０ｍＭから約50ｍＭの濃度のトリス−ＨＣｌである請求項１０に記載の方法。
【請求項１２】
工程ａ）において、前記精製緩衝液がさらに０ｍＭから１ｍＭの濃度のＥＤＴＡを含む請求項３に記載の方法。
【請求項１３】
工程ａ）において、前記ＰＶ Ｅ２ ＴＡＤが、前記精製緩衝液中で約５mg/mLから約15mg/mLの濃度で用いられる請求項３に記載の方法。
【請求項１４】
工程ｂ）において、前記結晶化緩衝液が、ＭＥＳ、リン酸ナトリウム、リン酸カリウム、酢酸ナトリウムおよびコハク酸ナトリウムから成る群から選択される請求項３に記載の方法。
【請求項１５】
前記結晶化緩衝液が約50ｍＭから約0.2Ｍの濃度のＭＥＳである請求項１４に記載の方法。
【請求項１６】
工程ｂ）において、前記結晶化緩衝液がさらに、ＭＰＤ、イソプロパノール、エタノールおよびtert−ブタノールから成る群から選択される沈澱剤を含む請求項３に記載の方法。
【請求項１７】
前記沈澱剤が30％から約40％の濃度のＭＰＤである請求項１６に記載の方法。
【請求項１８】
工程ｂ）において、前記結晶化緩衝液が4.5から6.5のｐＨで用いられる請求項３に記載の方法。
【請求項１９】
工程ｂ）において、前記結晶化が０℃から10℃で実施される請求項３に記載の方法。
【請求項２０】
以下の工程を含む、結晶化ＨＰＶ Ｅ２ ＴＡＤ−インヒビター複合体（ＨＰＶ Ｅ２ ＴＡＤ−Ｌ）の製造方法：
ａ）インヒビターＬを結晶化緩衝液中で可溶化し；さらに
ｂ）結晶化アポＨＰＶ Ｅ２ ＴＡＤをａ）に浸漬する。
【請求項２１】
以下の工程を含む、結晶化ＨＰＶ Ｅ２ ＴＡＤ−インヒビター複合体（ＨＰＶ Ｅ２ ＴＡＤ−Ｌ）の製造方法：
ａ）結晶化ＨＰＶ Ｅ２ ＴＡＤを含む結晶化緩衝液にインヒビターＬを添加する。
【請求項２２】
以下を含むＨＰＶ Ｅ２ ＴＡＤ−Ｌ複合体の三次元映像を作製するコンピュータ：
ａ）図９に示す構造座標に関してコード化されたデータ保存物質を含むコンピュータ読出し可能データ保存媒体；
ｂ）前記データを加工するための指示の保存用メモリー；
ｃ）前記コンピュータ読出し可能データを前記三次元映像に加工するために、前記コンピュータ読出し可能データ保存媒体と結合させた中央演算ユニット；および
ｄ）前記三次元映像をディスプレーするために前記中央演算ユニットと結合させたディスプレーユニット。
【請求項２３】
以下の工程を含む、Ｅ２ ＴＡＤインヒビターの特定または性状決定に有用なＥ２タンパク質の製造方法：
ａ）ＨＰＶ Ｅ２ ＴＡＤ−Ｌ結晶構造を用いて、ＨＰＶインヒビター結合ポケット残基を特定し；
ｂ）前記ＨＰＶインヒビター結合ポケット残基をワタオウサギパピローマウイルス（ＣＲＰＶ）のタンパク質残基と比較し；
ｃ）前記ＣＲＰＶ残基を前記ＨＰＶ残基に変異させてハイブリッドを作製し；さらに
ｄ）前記ハイブリッドをインヒビターによる抑制についてテストする。
【請求項２４】
下記式Ｌのインヒビターと複合体を形成した配列番号２のＨＰＶ Ｅ２ ＴＡＤ様ポリペプチドを含む結晶。
2005512954.tif 000002
【請求項２５】
前記Ｅ２ ＴＡＤが、図９に記載のアミノ酸Ｈ32、Ｗ33およびＬ94の座標によって形成された深い空洞を含むインヒビター結合ポケットを含む請求項２４に記載の結晶。
【請求項２６】
図９に記載のＨＰＶ11Ｅ２ ＴＡＤアミノ酸Ｈ32、Ｗ33およびＬ94の構造座標によって境界が定められた深い空洞を含む分子もしくは複合体またはその三次元モデルと結合する化学物質の潜在的能力を評価する方法。
【請求項２７】
以下の工程を含むＨＰＶ Ｅ２ ＴＡＤ様結合ポケットを含む分子の有望なインヒビターを特定する方法：
（ａ）Ｈ32、Ｗ33およびＬ94の原子座標を用いて、Ｅ２ ＴＡＤ様結合ポケットを含む分子の三次元構造を作製し；
（ｂ）前記３Ｄ構造を用いて、前記有望なインヒビターをデザインまたは選択し；
（ｃ）前記インヒビターを合成し；
（ｄ）前記インヒビターを前記分子と接触させて、前記有望なインヒビターが前記分子と相互作用する能力を判定する。
【請求項２８】
ＨＰＶ Ｅ２ ＴＡＤの分子と結合する化合物をデザインする方法であって、前記方法が、前記化合物と前記分子の局所領域との間の立体化学的相補性を評価する工程を含み、前記分子が以下の特徴を有する前記化合物をデザインする方法：
（ｉ）図９に示される原子座標に実質的に位置するＥ２ ＴＡＤのアミノ酸１−201、その類似体または切端形；
（ii）図９に示される座標とその完全な翻訳および／または回転によって関連を示すアミノ酸の１つまたは２つ以上のサブセット；または
（iii）Ｅ２ ＴＡＤに属するもののアミノ酸配列に存在するアミノ酸であって、図９に示される原子座標に実質的に位置するインヒビター結合ポケットのアミノ酸Ｈ32、Ｗ33およびＬ94によって境界が定められるＥ２ ＴＡＤの三次元構造と同等な構造を形成するアミノ酸。
【請求項２９】
ＨＰＶ Ｅ２ ＴＡＤのＤＮＡ複製活性を抑制する薬剤の製造方法であって、前記方法が、アミノ酸Ｈ32、Ｗ33およびＬ94の座標によってその境界が定められるＴＡＤ上のポケットに適合する薬剤を特定またはデザインし、それによって前記ＴＡＤと結合する薬剤を製造することを含む前記複製活性を抑制する薬剤の製造方法。
【手続補正書】
【提出日】平成17年9月26日(2005.9.26)
【手続補正１】
【補正対象書類名】特許請求の範囲
【補正対象項目名】請求項１９
【補正方法】変更
【補正の内容】
【請求項１９】
請求項17または請求項18の組成物に放射線を照射することで高分子組成物の硬化物を調整する製法。
【手続補正書】
【提出日】平成17年9月14日(2005.9.14)
【手続補正１】
【補正対象書類名】特許請求の範囲
【補正対象項目名】全文
【補正方法】変更
【補正の内容】
【特許請求の範囲】
【請求項１】
薬剤用のトリペプチド配列ＫＤＩ（リジン−アスパラギン酸−イソロイシン）。
【請求項２】
損傷または変性した神経の修復用のトリペプチド配列ＫＤＩ。
【請求項３】
中枢神経または末梢神経の損傷の治療用のトリペプチド配列ＫＤＩ。
【請求項４】
脊髄損傷の治療用のトリペプチド配列ＫＤＩ。
【請求項５】
脊髄損傷の治療用の、トリペプチドモチーフＫＤＩ（リジン−アスパラギン酸−イソロイシン）を包含する生物学的活性ペプチド。
【請求項６】
トリペプチドモチーフＫＤＩを包含する生物学的活性ペプチドを用いた、脊髄損傷治療剤の製造方法。
【請求項７】
トリペプチドモチーフＫＤＩを用いた、脊髄損傷治療剤の製造方法。
【請求項８】
有効成分としてトリペプチドモチーフＫＤＩを包含し、医薬的に許容可能な担体および希釈剤からなる群より選ばれる少なくとも一種をさらに包含する医薬組成物。
【請求項９】
注射可能な液体であることを特徴とする、請求項８に記載の医薬組成物。
【請求項１０】
有効成分であるペプチドの濃度が０．０１〜１００μｇ／ｍｌであることを特徴とする、請求項８または９に記載の医薬組成物。
【請求項１１】
ミニポンプ システムを用いて脊髄の外傷領域に直接投与するための、請求項８〜１０のいずれかに記載の医薬組成物。
【請求項１２】
硬膜外腔注射によって投与するための、請求項８〜１０のいずれかに記載の医薬組成物。
【手続補正書】
【提出日】平成17年11月10日(2005.11.10)
【手続補正１】
【補正対象書類名】特許請求の範囲
【補正対象項目名】全文
【補正方法】変更
【補正の内容】
【特許請求の範囲】
【請求項１】
一次粒子の平均長が５０〜９０ｎｍの範囲にあり、かつ一次粒子の平均幅が５〜２０ｎｍの範囲にある、リン酸塩を含む被覆層を有してなる粒状金属酸化物。
【請求項２】
分散媒体中に、一次粒子の平均長が５０〜９０ｎｍの範囲にあり、かつ一次粒子の平均幅が５〜２０ｎｍの範囲にある、リン酸塩を含む被覆層を有する金属酸化物の粒子を含んでなる分散液。
【請求項３】
一次粒子が５５〜７３ｎｍの範囲の平均長、および１０〜１８ｎｍの範囲の平均幅を有する、請求項１または２に記載の金属酸化物または分散液。
【請求項４】
一次粒子の中央体積粒径が２５〜３１ｎｍの範囲にある、請求項１〜３のいずれか１項に記載の金属酸化物および分散液。
【請求項５】
分散液中の粒子の中央体積粒径が４５ｎｍ未満であり、好ましくは２０〜３０ｎｍの範囲にある、請求項１〜４のいずれか１項に記載の金属酸化物および分散液。
【請求項６】
被覆層におけるリン酸塩の量が金属酸化物のコア粒子の重量に対して０.１〜１２重量％のリンの範囲にある、請求項１〜５のいずれか１項に記載の金属酸化物および分散液。
【請求項７】
被覆層における金属カチオンの量が金属酸化物のコア粒子の重量に対して０.２〜２０重量％の範囲にある、請求項１〜６のいずれか１項に記載の金属酸化物および分散液。
【請求項８】
金属がアルミニウムを含む、請求項７に記載の金属酸化物または分散液。
【請求項９】
被覆層が酸化アルミニウムおよび／または水酸化アルミニウムを更に含んでなる、請求項１〜８のいずれか１項に記載の金属酸化物または分散液。
【請求項１０】
被覆層がリン酸アルミニウムと酸化アルミニウムおよび／または水酸化アルミニウムとを０.１〜１.８：１の範囲の重量比で含んでなる、請求項９に記載の金属酸化物または分散液。
【請求項１１】
リン酸塩を含む被覆層を有し、かつ０.２〜１.５L／ｇ／ｃｍの範囲の５２４ｎｍでの吸光係数（Ｅ524）、０.１〜２.０L／ｇ／ｃｍの範囲の４５０ｎｍでの吸光係数（Ｅ450）、５〜１０L／ｇ／ｃｍの範囲の３６０ｎｍでの吸光係数（Ｅ360）、３５〜６５L／ｇ／ｃｍの範囲の３０８ｎｍでの吸光係数（Ｅ308）、５０〜８０L／ｇ／ｃｍの範囲の最大吸光係数Ｅ(max)、および２６０〜２９０ｎｍの範囲のλ(max)を有してなる粒状金属酸化物。
【請求項１２】
請求項１〜１１のいずれか１項に記載の金属酸化物または分散液を含んでなる日焼け止め剤製品。
【手続補正書】
【提出日】平成17年12月6日(2005.12.6)
【手続補正１】
【補正対象書類名】特許請求の範囲
【補正対象項目名】全文
【補正方法】変更
【補正の内容】
【特許請求の範囲】
【請求項１】
ガラスが、重量で、
Ｆｅ2Ｏ3（全鉄）    ０．２〜０．５１％、
ＣｏＯ              １０〜５０ｐｐｍ、
Ｃｒ2Ｏ3            １０〜３００ｐｐｍ、
ＣｕＯ                ０〜４００ｐｐｍ、
の範囲内で変わる含有率で上記着色剤を含み、
該ガラスが、０．３５以下の酸化還元係数、４８５〜４８９ｎｍの間に含まれる主波長λD、１３％未満の刺激純度及び３〜５ｍｍの間に含まれる厚みの下で１．１以上の選択度を示すことを特徴とするケイ素−ナトリウム−カルシウムタイプの青色ガラス組成物。
【請求項２】
鉄含有率が０．３％を超えることを特徴とする、請求項１に記載のガラス組成物。
【請求項３】
ＣｏＯ含有率が１５〜４０ｐｐｍの間で変わることを特徴とする請求項１に記載のガラス組成物。
【請求項４】
Ｃｒ2Ｏ3含有率が２０ｐｐｍ以上さらには２５０ｐｐｍ以下であることを特徴とする請求項１に記載のガラス組成物。
【請求項５】
Ｃｒ2Ｏ3含有率が３０〜８０ｐｐｍの間に含まれることを特徴とする請求項４に記載のガラス組成物。
【請求項６】
ＣｕＯ含有率が２５０ｐｐｍ未満であることを特徴とする請求項１〜５のいずれか一項に記載のガラス組成物。
【請求項７】
１．３以上の選択度を示すことを特徴とする請求項１〜６のいずれか一項に記載のガラス組成物。
【請求項８】
６０％以上の光透過率ＴＬAを示すことを特徴とする請求項１〜７のいずれか一項に記載のガラス組成物。
【請求項９】
Ｃｒ2Ｏ3及びＣｏＯ含有率が１００×Ｃｒ2Ｏ3／（ＣｏＯ）2＞７という関係式を満たすことを特徴とする請求項１〜８のいずれか一項に記載のガラス組成物。
【請求項１０】
０．２０を超える酸化還元比を示すことを特徴とする請求項１〜９のいずれか一項に記載のガラス組成物。
【請求項１１】
９％未満の刺激純度を示すことを特徴とする請求項１〜１０のいずれか一項に記載のガラス組成物。
【請求項１２】
４８７ｎｍ以上の主波長を示すことを特徴とする請求項１〜１１のいずれか一項に記載のガラス組成物。
【請求項１３】
スペクトルの一定部分の中で光学特性を変える作用物質をさらに含むことを特徴とする請求項１〜１２のいずれか一項に記載のガラス組成物。
【請求項１４】
作用物質含有量が２％を超えないことを特徴とする請求項１３に記載のガラス組成物。
【請求項１５】
ガラスが、
Ｆｅ2Ｏ3（全鉄）      ＞０．４５％、
ＦｅＯ                ＞０．１５％、
ＣｏＯ              １０〜５０ｐｐｍ
Ｃｒ2Ｏ3            １０〜３００ｐｐｍ、
ＣｕＯ                ０〜４００ｐｐｍ、
を含んで成り、
該ガラスが３．１５ｍｍ水準の厚みの下で７０％を超える光透過率ＴＬA及び１．３を超える選択度を示していることを特徴とする請求項１〜１４のいずれか一項に記載のガラス組成物。
【請求項１６】
９％未満の刺激純度を示すことを特徴とする請求項１５に記載のガラス組成物。
【請求項１７】
ガラスが、
Ｆｅ2Ｏ3（全鉄）        ＞０．４％、
ＦｅＯ                  ＞０．１２％、
ＣｏＯ                  ＜３５ｐｐｍ、
Ｃｒ2Ｏ3                １０〜３００ｐｐｍ、
ＣｕＯ                    ０〜４００ｐｐｍ、
を含んで成り、
該ガラスが３．８５ｍｍ水準の厚みの下で６０％を超える光透過率ＴＬＡ及び１．３を超える選択度を示していることを特徴とする請求項１〜１４のいずれか一項に記載のガラス組成物。
【請求項１８】
７０％を超える光透過率及び１．４を超える選択度を示すことを特徴とする請求項１７に記載のガラス組成物。
【請求項１９】
ガラスが、
Ｆｅ2Ｏ3（全鉄）    ＞０．３％、
ＦｅＯ              ＞０．１％、
ＣｏＯ              ＜２５ｐｐｍ、
Ｃｒ2Ｏ3            １０〜３００ｐｐｍ、
ＣｕＯ                ０〜４００ｐｐｍ、
を含んで成り、
該ガラスが４．８５ｍｍ水準の厚みの下で６０％を超える透過率ＴＬA及び１．３を超える選択率を示していることを特徴とする請求項１〜１４のいずれか一項に記載のガラス組成物。
【請求項２０】
４８７ｎｍ以上の主波長を示すことを特徴とする請求項１９に記載のガラス組成物。
【請求項２１】
請求項１〜２０のいずれか一項に記載の化学組成物の、溶融金属浴上のフロートによって形成されたガラスシート。
【請求項２２】
請求項２１に記載の少なくとも１枚のガラスシートを含むことを特徴とするウインドウガラス。
【手続補正書】
【提出日】平成17年10月21日(2005.10.21)
【手続補正１】
【補正対象書類名】特許請求の範囲
【補正対象項目名】請求項１
【補正方法】変更
【補正の内容】
【請求項１】
０．１〜１．５％のタムスロシン有効成分および少なくとも１種の製薬学的に許容される賦形剤を含む、液体を使用しない製造方法によって得られる医薬錠剤。
【手続補正書】
【提出日】平成17年10月20日(2005.10.20)
【手続補正１】
【補正対象書類名】特許請求の範囲
【補正対象項目名】請求項１６
【補正方法】変更
【補正の内容】
【請求項１６】
D1が生物学的活性成分の残基である請求項１に記載の化合物を含む、医薬組成物。
【手続補正２】
【補正対象書類名】特許請求の範囲
【補正対象項目名】請求項１７
【補正方法】変更
【補正の内容】
【請求項１７】
D1およびD1'が生物学的活性成分の残基である請求項３に記載の化合物を含む、医薬組成物。